(57)【要約】  診断システムは、マルチモダリティ画像の処理を行うプロセッサを含む画像ローダーと、マルチモダリティ画像を同時に表示する画像ビューアーとを有する。マルチモダリティ画像のうちの少なくとも１つはマンモグラム画像であり、前記処理はコンピュータ支援診断ツールに基づいて診断情報を生成することを含む。
2011522655.tif 000002
【特許請求の範囲】
【請求項１】
マルチモダリティ画像の処理を行うプロセッサを含む画像ローダーであり、前記マルチモダリティ画像のうちの少なくとも１つはマンモグラム画像であり、前記処理はコンピュータ支援診断ツールに基づいて診断情報を生成することを含む、画像ローダー；及び
前記マルチモダリティ画像を同時に表示する画像ビューアー；
を有するシステム。
【請求項２】
前記プロセッサは前記マルチモダリティ画像上で関心領域を特定し、前記診断情報は前記関心領域に関するものである、請求項１に記載のシステム。
【請求項３】
前記画像ビューアーは更に前記診断情報を表示する、請求項１に記載のシステム。
【請求項４】
前記コンピュータ支援診断ツールは、画像減算機能及び画像分割機能のうちの少なくとも一方を含む、請求項１に記載のシステム。
【請求項５】
前記診断情報は、前記関心領域が良性又は悪性の何れであるかを含む、請求項２に記載のシステム。
【請求項６】
前記画像ローダーは更に、前記マルチモダリティ画像を格納するメモリを含む、請求項１に記載のシステム。
【請求項７】
前記画像ビューアーはツールバーを表示し、前記ツールバーは、前記マルチモダリティ画像上で実行される前記コンピュータ支援診断ツールを選択する手段を含む、請求項１に記載のシステム。
【請求項８】
前記画像ビューアーは、画像モダリティに基づく所定の位置に前記画像を表示する、請求項１に記載のシステム。
【請求項９】
前記マルチモダリティ画像は更に、ＭＲＩ画像、超音波画像、及びマンモグラム以外のＸ線画像を含む、請求項１に記載のシステム。
【請求項１０】
前記マンモグラム画像は中外方向ビュー及び頭尾方向ビューのうちの一方を含む、請求項１に記載のシステム。
【請求項１１】
前記コンピュータ支援診断ツールは、以前に診断された事例を有するデータベースを含む、請求項１に記載のシステム。
【請求項１２】
マルチモダリティ画像を取り込むステップであり、前記マルチモダリティ画像のうちの少なくとも１つはマンモグラム画像である、取り込むステップ；
表示すべき複数の画像を準備するために前記マルチモダリティ画像の処理を行うステップであり、前記処理はコンピュータ支援診断ツールに基づいて診断情報を生成することを含む、処理を行うステップ；及び
画像ビューアー上に前記マルチモダリティ画像を同時に表示するステップ；
を有する方法。
【請求項１３】
前記診断情報を含むレポートを表示するステップ、
を更に有する請求項１２に記載の方法。
【請求項１４】
前記マルチモダリティ画像と同時に患者情報を表示するステップ、
を更に有する請求項１２に記載の方法。
【請求項１５】
前記診断情報は乳癌の診断を含み、前記コンピュータ支援診断ツールは、以前に診断された乳癌の画像を含む、請求項１２に記載の方法。
【請求項１６】
前記マルチモダリティ画像を分析して関心領域を特定するステップを更に有し、
前記関心領域はユーザ及び前記コンピュータ支援診断ツールのうちの一方によって特定される、
請求項１２に記載の方法。
【請求項１７】
複数のコンピュータ支援診断ツールを表示するステップ；及び
ユーザによる前記コンピュータ支援診断ツールの選択を受信するステップ；
を更に有する請求項１２に記載の方法。
【請求項１８】
前記コンピュータ支援診断ツールは、画像減算機能及び画像分割機能のうちの少なくとも一方を含む、請求項１２に記載の方法。
【請求項１９】
前記マルチモダリティ画像は更に、ＭＲＩ画像、超音波画像、及びマンモグラム以外のＸ線画像のうちの１つを含む、請求項１２に記載の方法。
【請求項２０】
マルチモダリティ画像を受信する手段；
前記マルチモダリティ画像の処理を行う手段であり、前記処理はコンピュータ支援診断ツールに基づいて診断情報を生成することを含む、処理を行う手段；及び
画像ビューアー上に前記マルチモダリティ画像を同時に表示する手段；
を有するシステム。
【発明の詳細な説明】
【技術分野】
【０００１】
本発明は、マルチモダリティ・コンピュータ支援診断システム及び方法に関する。
【背景技術】
【０００２】
乳房Ｘ線撮影法（マンモグラフィー）は、現在、乳癌を検査するための選択法となっている。しかしながら、更なる評価が必要なときにマンモグラムの補足となるよう、その他の胸部撮像検査もしばしば使用されている。例えば、マンモグラフィーで発見された病変、又はマンモグラム上では見られない触診可能な病変の更なる評価のために、典型的に超音波が使用されている。超音波はまた、若い女性（すなわち、年齢３０−５０歳）の高密度の胸部、及び特に、触診又はその他の撮像モダリティによってでは発見困難であることが通常である嚢胞及び繊維化皮膚（fibroderma）のケースを撮像するために使用される。磁気共鳴画像（ＭＲＩ）は、局所解剖学的特性、より大きい視野、及びより高い軟組織コンタクトによる優れた検出感度を有するので、疑わしい発見物の更なる評価に有用となり得る。研究により、マンモグラフィーによって見逃された病変のうちの１０−３０％がＭＲＩで視認可能であることが示されている。
【発明の概要】
【発明が解決しようとする課題】
【０００３】
様々なモダリティの利点の全てを含めるべく、医師は現在、マンモグラム及び／又は超音波とともにＭＲＩを読み取っている。これは、時間を消費し且つ困難な処理である。また、ＭＲＩ、マンモグラム及び／又は超音波における乳房病変は、迅速且つ正確な手法で検出され且つ分類される必要がある。
【課題を解決するための手段】
【０００４】
ここで説明する例示的な実施形態は、マルチモダリティ画像の処理を行うプロセッサを含む画像ローダーであり、前記マルチモダリティ画像のうちの少なくとも１つはマンモグラム画像であり、前記処理はコンピュータ支援診断ツールに基づいて診断情報を生成することを含む、画像ローダーと、前記マルチモダリティ画像を同時に表示する画像ビューアーと、を有するシステムを含む。
【図面の簡単な説明】
【０００５】
【図１】典型的な一実施形態に従ったシステムを示す概略図である。
【図２】図１のシステムとともに使用され得る例示的な表示画面を示す図である。
【図３】例示的な一実施形態に従った方法を示すフロー図である。
【発明を実施するための形態】
【０００６】
以下の例示的な実施形態は、複数のモダリティの画像を同時に分析するコンピュータ支援診断（ＣＡＤ）システムに関連付けられる。しかしながら、例示の実施形態は、乳癌を診断するために使用される画像モダリティに関して説明されるが、その他の疾患又は病気も同様に診断され得る。
【０００７】
図１は、典型的な一実施形態に従ったシステム１００の概略図を示している。システム１００は、例えば、乳癌の診断用のＣＡＤシステムである。システム１００は、画像取込部（ローダー）１１０及び画像表示部（ビューアー）１２０を有している。画像ローダー１１０は、処理されて画像ビューアー１２０上に表示されるべき複数の医療撮像モダリティにより取得された画像１５０を取り込むために使用される。複数のモダリティ画像１５０は、例えば、ＭＲＩ画像１５０ａ、超音波画像１５０ｂ及びマンモグラム画像１５０ｃを含む。しかしながら、当業者に理解されるように、その他の種類のモダリティ画像、又は更なる数のモダリティ画像が処理されて表示されてもよく、システム１００は、ＭＲＩ画像１５０ａ、超音波画像１５０ｂ又はマンモグラム画像１５０ｃ以外のモダリティ画像を必要とし得るその他の病気又は疾患の検出に適応されてもよい。例えば、癌の転移をモニタするためのＣＴ画像、及び／又はマンモグラムではないｘ線画像が、上記画像の１つ以上に追加されてもよいし、あるいは上記画像の１つ以上を置き換えてもよい。
【０００８】
画像ローダー１１０は、プロセッサ１３０及び／又はメモリ１４０を含んでいる。プロセッサ１３０は、画像ビューアー１２０上に表示されるべきマルチモダリティ画像１５０を処理する。マルチモダリティ画像１５０は、一時的あるいは永続的の何れかで、メモリ１４０に格納される。画像ローダー１１０は、当該画像ローダー１１０が接続された１つ以上の画像スキャナからマルチモダリティ画像１５０を受信して処理することができる。故に、画像ローダー１１０は、例えば、ＭＲＩ画像１５０ａを受信して処理するためにＭＲＩスキャナに接続され、超音波画像１５０ｂを受信して処理するために超音波スキャナに接続され、且つマンモグラム画像１５０ｃを受信して処理するためにＸ線スキャナに接続される。当業者に理解されるように、画像ローダー１１０は更に、あるいは代替的に、状況に応じてＣＴスキャナ又はその他のモダリティ種類のスキャナに接続されてもよい。
【０００９】
さらに、処理されたマルチモダリティ画像１５０は、即時処理に代えて将来的な読みだし及び処理のためにメモリ１４０に格納され得る。故に、使用中には、あるいは実際的には、後に処理されることが可能な以前にスキャンされたマルチモダリティ画像１５０をメモリ１４０が格納することができるため、画像ローダー１１０は如何なる画像スキャナにも接続される必要はない。従って、画像ローダー１１０のプロセッサ１３０は、複数の画像１５０が画像ビューアー１２０上に同時に表示され得るように、格納されたマルチモダリティ画像１５０を処理してもよい。
【００１０】
代替的に、直接的にスキャンされておらず、画像ローダー１１０によって受信されていない或るモダリティの画像が、後に取得されて画像ローダー１１０のメモリ１４０に格納され得るように、画像ローダー１１０は少なくとも１つの画像スキャナに接続されてもよい。例えば、システム１００は、画像ローダー１１０によって受信されるＭＲＩ画像１５０ａを生成するＭＲＩスキャナに接続され得る。超音波画像１５０ｂ及びマンモグラム画像１５０ｃ、又は例えばＣＴ画像などの代替モダリティ画像は、既にメモリ１４０に格納されていてもよい。画像ローダー１１０は、画像ビューアー１２０上での表示のために、様々なソース（すなわち、メモリ１４０、ＭＲＩスキャナ）からのマルチモダリティ画像１５０を処理し得る。
【００１１】
当業者に理解されるように、画像は、例えば画像がダウンロードされ得るネットワーク位置への接続によって、フラッシュメモリカードへの接続によって、あるいは画像保管通信システム（ＰＡＣＳ）への接続によって等、如何なる数の方法でメモリ１４０に格納されてもよい。
【００１２】
画像ビューアー１２０は、例えば、ＣＲＴ表示装置、ＬＣＤ表示装置、プラズマディスプレイ装置、又はマルチモダリティ画像１５０を表示することが可能なその他の表示手段である。当業者に理解されるように、画像ビューアー１２０はまた、診断用マンモグラフに関するＦＤＡ要求に準拠したマンモグラム表示用５ＭＰモニタであってもよい。
【００１３】
図２は、ＭＲＩ画像１５０ａ、超音波画像１５０ｂ、マンモグラム画像１５０ｃ、患者並びに情報及び追跡調査報告を含むレポート１７０とともにツールバー１６０を表示する画像ビューアー１２０の例示的な一実施形態を示している。ツールバー１６０は、様々なシステム機能に関するメニュー及び／又はアイコンを含んでいる。ＭＲＩ画像は、例えば、造影剤投与前（プレコントラスト）及び造影剤投与後（ポストコントラスト）、Ｔ１及びＴ２強調画像並びにその他の再構成画像、最大強度投影（maximum  intensity  projection；ＭＩＰ）、様々なビュー（コロナル、アクシャル、サジタル）及び時間／強度カーブでの多断面再構成（multi-planar  reconstruction；ＭＰＲ）などの、全ての画像シーケンスを含む。マンモグラム画像は、例えば、中外方向（medio-lateral；ＭＬ）ビュー及び頭尾方向（crano-caudal；ＣＣ）ビューを含む。超音波画像は、例えば、２Ｄ、３Ｄ又は多次元での実時間動画及び／又はデジタル画像を含む。マルチモダリティ画像１５０は、複数のモダリティにまたがって当該画像１５０が直接比較され得るように同時に表示される。
【００１４】
画像ローダー１１０及び画像ビューアー１２０は、計算システム及びモニタを有する単一のワークステーションとして具現化されることができ、マルチモダリティ画像１５０は、計算システムのプロセッサ１３０によって処理され、コンピュータモニタ上で表示され得る。しかしながら、当業者に理解されるように、この開示の主旨の範囲内で、如何なる処理手段及び表示手段が用いられてもよい。
【００１５】
画像ビューアー１２０上に表示されるツールバー１６０は、プロセッサ１３０によって処理される様々なツール機能に関するメニュー及びアイコンを含む。医師は、例えば、画像ビューアー１２０がタッチセンサー式スクリーンである場合には画像ビューアー１２０にタッチすることによって、あるいは画像ビューアー１２０若しくは画像ローダー１１０に接続されたマウス及び／又はキーボードなどの１つ以上の入力装置を用いることによって、ツールバー１６０と相互作用する。システム１００は、ウィンドウ／レベル制御ツール及び関心領域ツールを含み得る。これらのツールは、医師（例えば、放射線医）によって、マルチモダリティ画像１５０のうちの何れかにて視認可能な疑わしい病変にマーキングするために使用される。関心領域がマーキングされた後、それらは後のレビュー及び分析のためにファイルに保存される。ファイルはメモリ１４０に保存され得る。制御ツールはまた、保存された画像をメモリ１４０から取り込むことを可能にする機能を含み得る。他の制御ツールは、保存すること、開くこと、ビューを変更すること、ズームすることなどを含み得る。当業者に理解されるように、他のウィンドウ／レベル制御ツールも含まれ得る。
【００１６】
ツールバー１６０はまた、例えば画像減算、画像分割（セグメンテーション）、及び事前選択された病変を分析するためのその他の先端機能など、その他の画像分析ツールを含み得る。画像減算は、病変を強調する顕著性の増大のためにポストコントラスト画像からプレコントラスト画像を減じたものとし得る画像間の差異を見るために、医師によって使用される。これは特に、病変又はその背景が造影剤の投与に先立って高い信号を示すときに有用となり得る。画像減算はまた、しばしば時間−強度カーブと呼ばれるＭＲＩ上の疑わしい病変の増進動態を評価するために、医師にとって有用である。このカーブは、異なる複数の時点で捕捉された一連のポストコントラスト画像から生成される。このカーブも画像ビューアー１２０上に表示され得る。
【００１７】
例えば適応式閾値分け、固定式閾値分け、及び／又は階調モルフォロジーなどの画像分割用のツールは、関心病変を識別するために相互作用的に使用され得る。関心領域を特定することを支援し得るその他の分割ツールは、領域拡張、能動輪郭、楕円フィッティングなどを含む。画像分割ツールはまた、例えば血管除去ツールなどの分割促進ツールを含み得る。これらの先端機能ツールは、事前選択された病変を分析するために使用される。先端機能ツールは抽出ツールを含んでいてもよい。抽出ツールは、選択された病変からフィーチャー（例えば、形状、テクスチャ）を抽出し、システム１００のメモリ１４０に格納され得る以前に診断された事例のデータベースを用いて、関心病変を良性又は悪性として解明し得る。先端機能ツールはまた、評価及び追跡調査報告に関する信頼性のパーセンテージを生成してもよく、このような信頼性のパーセンテージも、画像ビューアー１２０上のレポート部１７０に表示され得る。
【００１８】
上述の機能ツールに加えて、システム１００は、医師にとって視認可能でない関心領域、又は医師によって見落とされた関心領域を認識することができてもよい。これらの病変は、ツールバー１６０のツールを用いて、医師による更なる分析のために画像１５０上でマーキングされ得る。
【００１９】
本発明の典型的な一方法２００を図３に示す。マルチモダリティ画像１５０がステップ２１０にて画像ローダー１１０によって取り込まれ、ステップ２２０にて画像ビューアー１２０上に表示される。次いで、関心領域がステップ２３０にて特定され、これらの関心領域がステップ２４０にて分析される。マルチモダリティ画像１５０は多様な手法で取り込まれ得る。マルチモダリティ画像１５０を取り込むことは、マルチモダリティ画像１５０のうちの１つ以上が画像スキャナによってスキャンされてデジタル化され、且つ処理のために画像ローダー１１０によって受信されるよう、画像ローダー１１０が複数の画像スキャナ（すなわち、ＭＲＩスキャナ、超音波スキャナ、マンモグラム用Ｘ線スキャナ）の１つ以上の組み合わせに接続されることを必要とし得る。他の例では、マルチモダリティ画像１５０は、様々なマルチモダリティ画像１５０が前もって格納されている画像ローダー１１０のメモリ１４０から取り込まれる。マルチモダリティ画像１５０はまた、画像ローダー１１０へのモダリティスキャンと、画像ローダー１１０のメモリ１４０からの事前格納画像の読み出しとの組み合わせから取り込まれてもよい。
【００２０】
ステップ２２０にて、画像ビューアーは、マルチモダリティ画像１５０をツールバー１６０及びレポート１７０とともに表示する。画像ビューアー１２０の表示は、ツールバー１６０、レポート１７０、及び各モダリティの画像１５０が別個の区画に表示されるように、別々の区画に分割され得る。例えば、モダリティが、乳癌を診断するために最も一般的に使用される３つの画像モダリティであるＭＲＩ、超音波及びマンモグラムである場合、各モダリティは画像ビューアー１２０上の別個の区画に表示される。図２は、例として、第１の区画に表示されたＭＲＩ画像１５０ａ、第２の区画に表示された超音波画像１５０ｂ、及び第３の区画に表示されたマンモグラム画像１５０ｃを示している。
【００２１】
ＭＲＩ画像は、プレコントラスト画像、ポストコントラスト画像、Ｔ１強調画像及びＴ２強調画像を含み得る。当業者に理解されるように、ＭＲＩでは関心エリアを描くために造影剤が使用され得る。やはり当業者に理解されるように、Ｔ１強調画像及びＴ２強調画像は、時間／強度カーブを生成するために使用され得る。これらのカーブも第１の区画内に表示され得る。第１の区画はまた、例えば再構成画像などの診断の支援となり得るその他のＭＲＩ画像又はグラフ（例えば、減算画像、異なるビュー（コロナル、アクシャル、及びサジタル）でのＭＩＰ及びＭＰＲ、及び時間／強度カーブ）のための追加スペースを含んでいてもよい。第２の区画の超音波画像１５０ｂは、超音波の静止画又は動画ループとし得る。
【００２２】
第３の区画のマンモグラム画像１５０ｃは、胸部の病変を検出するときの２つの主なビューである胸部のＭＬビュー及びＣＣビューを含み得る。更なるビュー（例えば、拡大マンモグラフィービュー及び以前のマンモグラフィー調査）が必要である場合、それらの画像も第３の区画内に表示され得る。第３の区画はまた、必要なその他の画像又は情報のための追加スペースを含んでいてもよい。
【００２３】
ツールバー１６０及びレポート１７０も、ステップ２２０にてそれら自身の区画に表示される。ツールバー１６０の区画は、様々なツール機能のためのメニュー式の選択肢及びアイコンを含む。レポート１７０の区画は、患者情報（例えば、年齢、性別、病歴）と、システム１００によって生成されたレポートとを表示する。レポート１７０はまた、画像に関する医師のコメント、又は後の時点で参照され得る可能性ある診断結果を含めるための追加スペースを含んでいてもよい。当業者に理解され得るように、画像ビューアー１２０の表示は、分析される如何なる数の画像モダリティをも収容するよう、如何なる数の区画を含んでいてもよい。
【００２４】
関心領域は、ステップ２３０にて、数多くの異なる手法で特定され得る。関心領域の特定は、同時に表示されたマルチモダリティ画像１５０の視診により医師によって、あるいは以前に特定された病変に基づいて可能性ある病変を特定し得るシステム１００によって行われ得る。そして、関心領域は画像１５０上でマーキングされ得る。マーキングされたマルチモダリティ画像１５０は、後に医師によってレビュー且つ／或いは分析され得るように、メモリ１４０に格納され得る。関心領域をマーキングする際に医師を支援するよう、ツールバー１６０からの分析ツールが使用されてもよい。
【００２５】
関心領域が特定されると、ステップ２４０にて、ツールバー１６０内に表示された利用可能なツール機能を用いて、マーキングされた画像領域が分析され得る。医師は、ツールバー１６０から、例えば画像分割、画像減算、フィーチャー抽出などの多様な分析ツールを選択し得る。分析ツールを用いて、医師は、ステップ２３０にて特定された病変が関心病変であるか、そして、それらが良性又は悪性の何れであるかを決定し得る。例えばフィーチャー抽出などの分析ツールが使用される場合、システム１００は、特定された関心領域が懸念の原因であるかを評価するためにフィーチャー抽出値を使用し、追跡調査報告とともに信頼性のパーセンテージを提供してもよく、それらは画像ビューアー１２０上のレポート部１７０に表示され得る。更なる一実施形態においては、ツールバー１６０からツールを選択することに加えて、医師は、画像ローダー１１０に接続され得る入力装置上のホットキーを押すことによって分析ツールを選択し得る。それらのホットキーは医師によって事前設定あるいは設定され得る。
【００２６】
故に、マルチモダリティ画像１５０を同時に表示することによって、且つ分析ツールを提供することによって、ここで説明したシステム及び方法は、医師が複数のモダリティの画像を眺めることによって関心領域の特定及び分析を行うことを可能にする。このようなシステムは、より効率的に正確な診断を行うことにおいて医師を支援する。
【００２７】
当業者に明らかなように、本発明の精神及び範囲を逸脱することなく、本発明には様々な変更が為され得る。故に、本発明は、添付の請求項の範囲及びそれらに均等な範囲に入る限り、本発明の変更及び変形に及ぶものである。
【００２８】
また、クレームはＰＣＴ規則６．２（ｂ）に従って参照符号／番号を含んでいることがあり得るが、本願のクレームは、参照符号／番号に対応する例示の実施形態に限定されるものとして解釈されるべきではない。
【図１】
2011522655.tif 000003
【図２】
2011522655.tif 000004
【図３】
2011522655.tif 000005
【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
マルチモダリティ画像の処理を行うプロセッサを含む画像ローダーであり、前記マルチモダリティ画像は、マンモグラム画像、超音波画像及びＭＲＩ画像を含み、前記処理は、コンピュータ支援診断ツールに基づいて、前記マルチモダリティ画像のうちの少なくとも１つから診断情報を生成することを含む、画像ローダー；及び
前記マルチモダリティ画像及び前記診断情報を同時に表示する画像ビューアーであり、前記診断情報は、前記マルチモダリティ画像の表示から分離された当該画像ビューアーの部分上に表示される、画像ビューアー；
を有するシステム。
【請求項２】
前記プロセッサは前記マルチモダリティ画像上で関心領域を特定し、前記診断情報は前記関心領域に関するものである、請求項１に記載のシステム。
【請求項３】
前記コンピュータ支援診断ツールは、画像減算機能及び画像分割機能のうちの少なくとも一方を含む、請求項１に記載のシステム。
【請求項４】
前記画像ローダーは更に、前記マルチモダリティ画像を格納するメモリを含む、請求項１に記載のシステム。
【請求項５】
前記画像ビューアーはツールバーを表示し、前記ツールバーは、前記マルチモダリティ画像上で実行される前記コンピュータ支援診断ツールを選択する手段を含む、請求項１に記載のシステム。
【請求項６】
前記画像ビューアーは、画像モダリティに基づく所定の位置に前記画像を表示する、請求項１に記載のシステム。
【請求項７】
前記マルチモダリティ画像は更に、マンモグラム以外のＸ線画像を含む、請求項１に記載のシステム。
【請求項８】
前記コンピュータ支援診断ツールは、以前に診断された事例を有するデータベースを含む、請求項１に記載のシステム。
【請求項９】
マルチモダリティ画像を取り込むステップであり、前記マルチモダリティ画像は、マンモグラム画像、超音波画像及びＭＲＩ画像を含む、取り込むステップ；
表示すべき複数の画像を準備するために前記マルチモダリティ画像の処理を行うステップであり、前記処理は、コンピュータ支援診断ツールに基づいて、前記マルチモダリティ画像のうちの少なくとも１つから診断情報を生成することを含む、処理を行うステップ；及び
画像ビューアー上に前記マルチモダリティ画像及び前記診断情報を同時に表示するステップであり、前記診断情報は、前記マルチモダリティ画像の表示から分離された前記画像ビューアーの部分上に表示される、表示するステップ；
を有する方法。
【請求項１０】
前記マルチモダリティ画像と同時に患者情報を表示するステップ、
を更に有する請求項９に記載の方法。
【請求項１１】
前記マルチモダリティ画像を分析して関心領域を特定するステップを更に有し、
前記関心領域はユーザ及び前記コンピュータ支援診断ツールのうちの一方によって特定される、
請求項９に記載の方法。
【請求項１２】
複数のコンピュータ支援診断ツールを表示するステップ；及び
ユーザによる前記コンピュータ支援診断ツールの選択を受信するステップ；
を更に有する請求項９に記載の方法。
【請求項１３】
マンモグラム画像、超音波画像及びＭＲＩ画像を含むマルチモダリティ画像を受信する手段；
前記マルチモダリティ画像の処理を行う手段であり、前記処理は、コンピュータ支援診断ツールに基づいて、前記マルチモダリティ画像のうちの少なくとも１つから診断情報を生成することを含む、処理を行う手段；及び
画像ビューアー上に前記マルチモダリティ画像及び前記診断情報を同時に表示する手段であり、前記診断情報は、前記マルチモダリティ画像の表示から分離された前記画像ビューアーの部分上に表示される、表示する手段；
を有するシステム。
【国際調査報告】
2011522655.tif 000006
2011522655.tif 000007
2011522655.tif 000008